(57)【特許請求の範囲】
【請求項１】
周壁(1)の稜部を挟む側壁(2,3)に亘って引裂帯(9)を設け、この引裂帯(9)を、切込が段ボールの裏ライナ側から表ライナに達しない２本の平行な半切線(10)を入れたものとし、引裂帯(9)を始端の摘み部(12)から引っ張って段ボールを切断することにより開封する段ボール箱において、前記周壁(1)の稜部では、引裂帯(9)の半切線(10)の間及び上下に、各半切線(10)から引裂帯(9)の幅方向に間隔をあけて、裏ライナ側から押罫線(13)を入れ、周壁(1)の稜部以外の部分では、前記押罫線(13)が引裂帯(9)の長さ方向に連続しないようにしたことを特徴とする引裂帯付き段ボール箱。
【発明の詳細な説明】
【技術分野】
【０００１】
この発明は、開封用に設けた引裂帯の引張時における千切れを防止し、スムーズに開封できるようにした段ボール箱に関するものである。
【背景技術】
【０００２】
従来、図１０に示すように、包装用の段ボール箱として、周壁５１の稜部を挟む側壁５２，５３に亘って引裂帯５４を設け、この引裂帯５４を、切込が段ボールの裏ライナ側から表ライナに達しない２本の平行な半切線５５を入れ、各半切線５５に間隔をあけて繋部５６を配置したものとし、一方の側壁５２に設けた摘み部５７から他方の側壁５３まで引裂帯５４を引っ張って段ボールを切断することにより開封するものが知られている。
【０００３】
このような段ボール箱では、開封する際、周壁５１の稜部で引裂帯５４の引張りが一旦中断した後、角度を変えて再度引裂帯５４を引っ張ると、引裂帯５４が千切れて、その後引裂帯５４を引張ることができなくなり、開封が困難になりやすい。
【０００４】
上記問題点への対策を施した段ボール箱として、下記特許文献１には、図１１に示すように、周壁５１の稜部において、引裂帯５４の半切線５５上に段ボールの裏ライナから表ライナに達する切込部５８を設けたものが記載されている。
【０００５】
また、下記特許文献２には、図１２に示すように、表ライナ５９と裏ライナ６０との間に波状の中芯６１を挟んだ段ボールにおいて、引裂帯５４の半切線５５に沿って、その外側近傍を裏ライナ６０側から押し潰した押罫線６１を入れ、段ボールを引裂帯５４の全長に亘って弱めることにより、引裂帯５４が千切れにくくし、スムーズに開封できるようにする技術が記載されている。
【先行技術文献】
【特許文献】
【０００６】
【特許文献１】特開平７−３２９９５５号公報
【特許文献２】実開平４−４１８２５号公報
【発明の概要】
【発明が解決しようとする課題】
【０００７】
しかしながら、特許文献１の記載のように、周壁の稜部で引裂帯の半切線上に切込部を設けると、輸送時に段ボール箱が落下して底角部に大きな衝撃が作用したとき、切込部から半切線が破断しやすいという問題がある。
【０００８】
また、特許文献２の記載のように、引裂帯の全長に亘って半切線の外側に沿う押罫線を入れると、積上時に側壁が座屈しやすくなるという問題がある。
【０００９】
そこで、この発明は、引裂帯付きの段ボール箱において、落下時の衝撃や積上荷重に対する強度を低下させることなく、開封時における引裂帯の千切れを防止し、スムーズに開封できるようにすることを課題とする。
【課題を解決するための手段】
【００１０】
上記課題を解決するため、この発明は、周壁の稜部を挟む側壁に亘って引裂帯を設け、この引裂帯を、切込が段ボールの裏ライナ側から表ライナに達しない２本の平行な半切線を入れたものとし、引裂帯を始端の摘み部から引っ張って段ボールを切断することにより開封する段ボール箱において、前記周壁の稜部では、引裂帯の半切線の間及び上下に、裏ライナ側から押罫線を入れたのである。
【発明の効果】
【００１１】
この発明に係る段ボール箱では、周壁の稜部で引裂帯の半切線間及び上下に裏ライナ側から入れた押罫線により、引裂帯の半切線に沿って裏ライナが引っ張られ、段ボールが深く切り開かれるので、引裂帯が周壁の稜部で千切れにくくなり、スムーズに開封できるようになるほか、開封前の包装状態では、周壁の稜部において、段ボールの表ライナに裂目がないので、落下時の衝撃や積上荷重に対する強度も確保される。
【図面の簡単な説明】
【００１２】
【図１】この発明の第１実施形態に係る溝切り型段ボール箱を示す斜視図
【図２】同上のブランクを示す裏面図
【図３】同上の要部拡大斜視図
【図４】同上の段ボール箱の開封過程を示す斜視図
【図５】この発明の第２実施形態に係るラップラウンド型段ボール箱を示す斜視図
【図６】同上のブランクを示す裏面図
【図７】同上の段ボール箱の開封過程を示す斜視図
【図８】同上の要部の他形態を示すブランクの一部拡大裏面図
【図９】同上の要部の他形態を示すブランクの一部拡大裏面図
【図１０】従来の引裂帯付き段ボール箱を示す斜視図
【図１１】特許文献１に係る段ボール箱を示す斜視図
【図１２】特許文献２に係る段ボールの破断構造を示す斜視図
【発明を実施するための形態】
【００１３】
まず、この発明の第１実施形態として、汎用の溝切り型段ボール箱の例を図１乃至図４に基づいて説明する。
【００１４】
図１に示す段ボール箱は、図２に示すブランクを組み立てて形成され、周壁１を形成する長面及び幅面の側壁２，３を押罫線４を介して各一対連設し、一方の側壁２の外側端に連設した継代片５を反対側の側壁３に貼り付け、側壁３の上下端に内フラップ６を、側壁２の上下端に外フラップ７をそれぞれ押罫線８を介して連設し、内フラップ６と外フラップ７とを重ね合わせて封緘するものとされている。
【００１５】
周壁１には、全周に亘って引裂帯９が設けられ、引裂帯９は、切込が段ボールの裏ライナ側から表ライナに達しない２本の平行な半切線１０を入れ、各半切線１０に間隔をあけて強度維持用の繋部１１を配置したものとされている。側壁２の長さ方向中央部には、引裂帯９を引っ張る摘み部１２がＨ字状の切込を入れて設けられている。
【００１６】
周壁１の稜部となる側壁２，３の境界部では、引裂帯９の半切線１０の間及び上下に、各半切線１０から間隔をあけて、半切線１０と平行に延びる押罫線１３が裏ライナ側から入れられている。
【００１７】
ここで、半切線１０は、コルゲーターによる段ボールシートの製造時に、裏ライナを切断することにより入れられ、摘み部１２の切込及び押罫線１３は、スロッタ等によるブランクの輪郭形成後、切刃及び押罫部材により入れられる。
【００１８】
このような段ボール箱では、図３にブランクの一部を拡大して示すように、表ライナ１４と裏ライナ１５との間に波状の中芯１６を挟んだ段ボールにおいて、側壁２，３の境界部の押罫線４の付近では、引裂帯９の半切線１０に沿って裏ライナ１５が押罫線１３により引っ張られ、段ボールが深く切り開かれて、繋部１１が切れた状態となり、表ライナ１４は、破断することなく、裂目のない状態で維持される。
【００１９】
このため、図４に示すように、引裂帯９を摘み部１２から引っ張って、側壁２，３を切断することにより開封する際、引裂帯９が周壁１の稜部で千切れにくくなり、スムーズに開封できるようになる。
【００２０】
また、開封前の包装状態では、周壁１の稜部において、段ボールの表ライナに裂目がないので、落下時の衝撃や積上荷重に対する強度も確保される。
【００２１】
さらに、ブランクの製造時に、半切線１０に対する押罫線１３の位置が多少ずれても、引裂帯９の半切線１０間及び上下に押罫線１３が配置された位置関係が維持されるので、開封機能に影響が及ぶことがない。
【００２２】
次に、この発明の第２実施形態として、飲料の缶等を包装するラップラウンド型段ボール箱の例を図５乃至図７に基づいて説明する。
【００２３】
図５に示す段ボール箱は、図６に示すブランクを組み立てて形成され、一対の側壁２及び天面及び底面の平壁１７を押罫線８を介し連設して缶を包み込み、一方の側壁２の上端に押罫線８を介して連設した継代片５と天面の平壁１７とを貼り合わせ、側壁２の側端に押罫線４を介して連設した側壁３と、平壁１７の側端に押罫線８を介して連設した側壁１８とを貼り合わせて封緘し、側壁２，３及び１８により周壁１を形成するものである。
【００２４】
周壁１には、側壁２，３に亘って引裂帯９が設けられ、引裂帯９は、切込が段ボールの裏ライナ側から表ライナに達しない２本の平行な半切線１０を入れ、各半切線１０に間隔をあけて強度維持用の繋部１１を配置したものとされている。側壁２の長さ方向中央部には、引裂帯９を引っ張る摘み部１２がＨ字状の切込を入れて設けられている。
【００２５】
周壁１の稜部となる側壁２，３の境界部では、引裂帯９の半切線１０の間及び上下に、各半切線１０から間隔をあけて、半切線１０と平行に延びる押罫線１３が裏ライナ側から入れられている。
【００２６】
ここで、半切線１０、摘み部１２の切込及び押罫線１３は、ブランクの輪郭の打抜と同時に、ダイカッタの抜型により入れられる。従って、上記第１実施形態のように、これらの位置関係がずれることはない。
【００２７】
このような段ボール箱では、側壁２，３の境界部の押罫線４の付近において、引裂帯９の半切線１０に沿って裏ライナが押罫線１３により引っ張られ、段ボールが深く切り開かれて、繋部１１が切れた状態となり、表ライナは、破断することなく、裂目のない状態で維持される。
【００２８】
このため、図７に示すように、引裂帯９を摘み部１２から引っ張って、側壁２，３を切断することにより開封する際、引裂帯９が周壁１の稜部で千切れにくくなり、容易に開封できるようになる。
【００２９】
また、開封前の包装状態では、周壁１の稜部において、段ボールの表ライナに裂目がないので、落下時の衝撃や積上荷重に対する強度も確保される。
【００３０】
これらの効果は、材料の段ボールに薄手で破れやすいものを使用することが多いラップラウンドケースにおいて、特に有益なものとなる。
【００３１】
なお、図８に示すように、上記のように裏ライナ側から入れた押罫線１３に加えて、これらの押罫線１３の間に、表ライナ側から半切線１０と平行に延びる押罫線１９を入れると、周壁１の稜部で半切線１０の付近が押し潰されるので、この部分で半切線１０に沿って段ボールを切断しやすくなり、さらにスムーズに開封できるようになる。
【００３２】
また、図９に示すように、引裂帯９の摘み部１２と周壁１の稜部に位置する押罫線４との中間にも、引裂帯９の半切線１０の間及び上下に、半切線１０と平行に延びる押罫線２０を裏ライナ側から入れておくと、側壁２の途中で引裂帯９が千切れる現象が防止され、開封の確実性が向上する。
【００３３】
さらに、側壁３の先端部にも、引裂帯９の半切線１０の間及び上下に、半切線１０と平行に延びる押罫線２１を裏ライナ側から入れておくと、ブランクを積み上げた状態で検品する際、押罫線１３，２０の刻設状況を容易に把握することができる。
【符号の説明】
【００３４】
１  周壁
２，３  側壁
４  押罫線
５  継代片
６  内フラップ
７  外フラップ
８  押罫線
９  引裂帯
１０  半切線
１１  繋部
１２  摘み部
１３  押罫線
１４  表ライナ
１５  裏ライナ
１６  中芯
１７  平壁
１８  側壁
１９，２０，２１  押罫線
【図１】
0005451499.tif 000002
【図２】
0005451499.tif 000003
【図３】
0005451499.tif 000004
【図４】
0005451499.tif 000005
【図５】
0005451499.tif 000006
【図６】
0005451499.tif 000007
【図７】
0005451499.tif 000008
【図８】
0005451499.tif 000009
【図９】
0005451499.tif 000010
【図１０】
0005451499.tif 000011
【図１１】
0005451499.tif 000012
【図１２】
0005451499.tif 000013